(57)【要約】【課題】室外ユニット（21）と複数の室内ユニット（22）が２本の連絡配管（251，252）で接続され、冷房と暖房が混在する冷凍サイクルが可能に構成された冷媒回路（24）を備えた空気調和装置（20）において、暖房主体運転時における低圧冷媒の圧力低下を抑制する。【解決手段】全暖房負荷運転と冷暖同負荷運転との間で行われる暖房主体運転時に、冷房運転を行う室内ユニット（22）での蒸発行程終了後のガス冷媒を昇圧して低圧側の連絡配管（252）へ供給する昇圧機構として補助圧縮機（5）を設ける。【選択図】図６
2016070595.tif 000002
【特許請求の範囲】
【請求項１】
室外ユニット（21）と、複数の室内ユニット（22）と、該室外ユニット（21）と室内ユニット（22）を２本の連絡配管（251，252）で接続することにより冷房と暖房が混在する冷凍サイクルが可能に構成された冷媒回路（24）とを備えた空気調和装置であって、
上記冷媒回路（24）は、全暖房負荷運転と冷暖同負荷運転との間で行われる暖房主体運転時に、冷房運転を行う室内ユニット（22）での蒸発行程終了後のガス冷媒を昇圧し、低圧側の連絡配管（252）へ供給する昇圧機構（5，10）を備えていることを特徴とする空気調和装置。
【請求項２】
請求項１において、
上記暖房主体運転が、相対的に暖房負荷の大きな暖房主体の暖房高負荷運転と、暖房主体の暖房高負荷運転よりも暖房負荷の小さな暖房主体の暖房低負荷運転とを含み、
上記連絡配管（251，252）が、相対的に直径の小さな第１連絡配管（251）と、第１連絡配管（251）よりも直径の大きな第２連絡配管（252）とを有し、
上記冷媒回路（24）は、暖房主体の暖房高負荷運転時に、上記昇圧機構（5，10）で昇圧された冷媒が第１連絡配管（251）へ供給されるように構成されていることを特徴とする空気調和装置。
【請求項３】
請求項１または２において、
上記昇圧機構（5，10）は、上記冷房運転を行う室内ユニット（22）と冷凍サイクルの圧縮行程を行う圧縮機（1）との間で冷媒を補助的に圧縮する補助圧縮機（5）であることを特徴とする空気調和装置。
【請求項４】
請求項３において、
上記冷媒回路（24）は、高圧冷媒または中間圧冷媒を膨張して動力を回収する膨張機（4）を備え、
上記膨張機（4）が有する出力軸（4c）と上記補助圧縮機（5）が有する入力軸（5c）とが連結されていることを特徴とする空気調和装置。
【請求項５】
請求項１または２において、
上記昇圧機構（5，10）は、高圧冷媒または中間圧冷媒を駆動流とし、冷凍サイクルの蒸発行程後のガス冷媒を吸引して昇圧し、昇圧後の冷媒を低圧側の連絡配管（252）に供給するエジェクタ（10）であることを特徴とする空気調和装置。
【発明の詳細な説明】
【技術分野】
【０００１】
本発明は、室外ユニットと複数の室内ユニットが２本の連絡配管で接続され、冷房と暖房が混在する冷凍サイクルが可能に構成された空気調和装置に関し、特に、暖房主体運転時における低圧冷媒の圧力低下を抑制する技術に関するものである。
【背景技術】
【０００２】
従来、室外ユニットと複数の室内ユニットが連絡配管で接続された空気調和装置が知られている。例えば、特許文献１には、室外ユニットと複数の室内ユニットが２本の連絡配管で接続され、かつ冷房と暖房が混在する冷凍サイクルが可能に構成された空気調和装置が開示されている。
【０００３】
特許文献１の空気調和装置では、全暖房負荷運転と冷暖同負荷運転との間で行われる暖房主体運転時に、低圧二相冷媒を流す連絡配管を、暖房負荷に応じて切り換えるようにしている。具体的には、暖房主体運転を、相対的に暖房負荷の小さな暖房主体の暖房低負荷運転と相対的に暖房負荷の大きな暖房主体の暖房高負荷運転とに分けて制御をするようにしている。そして、２本の連絡配管を細い方の第１連絡配管と太い方の第２連絡配管とすると、暖房主体の暖房低負荷運転時に、密度の小さい低圧二相冷媒を太さの太い第２連絡配管に流すことにより、低圧側の圧力損失が大きくなるのを抑え、冷凍サイクルの効率が低下するのを抑えるようにしている。
【先行技術文献】
【特許文献】
【０００４】
【特許文献１】特開２０１４−１２９９４７号公報
【発明の概要】
【発明が解決しようとする課題】
【０００５】
しかしながら、上記空気調和装置では、暖房主体の暖房高負荷運転時には低圧の二相冷媒が細い第１連絡配管を流れるため、圧力損失が大きく、効率が低下する問題があった。暖房主体の暖房高負荷運転時は、負荷が大きいために、暖房主体の暖房低負荷運転に比べて連絡配管の冷媒流量が多いことや、暖房主体の暖房低負荷運転と同じく低圧二相の冷媒密度が小さいことなどが理由である。また、全暖房運転時は、比較的高圧の凝縮器（暖房側の室内熱交換器）の出口の圧力で第１連絡配管の入口圧力が決まるため、効率への影響が少ないが、暖房主体運転時（ここでは特に暖房主体の暖房高負荷運転時）は、比較的低圧の蒸発器（冷房側の室内熱交換器）の出口の圧力で第１連絡配管の入口圧力が決まるため、効率への影響が大きいことも理由である。
【０００６】
以上のことから、室外ユニットと複数の室内ユニットが２本の連絡配管で接続され、冷房と暖房が混在する冷凍サイクルが可能に構成された空気調和装置においては、全暖房負荷運転と冷暖同負荷運転との間で行われる暖房主体運転のすべての領域で、連絡配管における低圧二相冷媒の圧力の低下を抑え、冷凍サイクルの効率が低下するのを抑えることが望まれる。
【０００７】
本発明は、このような問題点に鑑みてなされたものであり、その目的は、室外ユニットと複数の室内ユニットが２本の連絡配管で接続され、冷房と暖房が混在する冷凍サイクルが可能に構成された空気調和装置において、暖房主体運転時における低圧冷媒の圧力低下を抑制することである。
【課題を解決するための手段】
【０００８】
第１の発明は、室外ユニット（21）と、複数の室内ユニット（22）と、該室外ユニット（21）と室内ユニット（22）を２本の連絡配管（251，252）で接続することにより冷房と暖房が混在する冷凍サイクルが可能に構成された冷媒回路（24）とを備えた空気調和装置を前提としている。
【０００９】
そして、この空気調和装置は、全暖房負荷運転と冷暖同負荷運転との間で行われる暖房主体運転時に、冷房運転を行う室内ユニット（22）での蒸発行程終了後のガス冷媒を昇圧し、低圧側の連絡配管（252）へ供給する昇圧機構（5，10）を備えていることを特徴としている。
【００１０】
この第１の発明では、低圧の二相冷媒が連絡配管（251，252）を流れる暖房主体運転時に、冷房運転を行う室内ユニット（22）での蒸発行程終了後のガス冷媒が昇圧されてから低圧側の連絡配管（252）へ供給されるので、圧力の低下が抑えられる。
【００１１】
第２の発明は、第１の発明において、上記暖房主体運転が、相対的に暖房負荷の大きな暖房主体の暖房高負荷運転と、暖房主体の暖房高負荷運転よりも暖房負荷の小さな暖房主体の暖房低負荷運転とを含み、上記連絡配管（251，252）が、相対的に直径の小さな第１連絡配管（251）と、第１連絡配管（251）よりも直径の大きな第２連絡配管（252）とを有し、上記冷媒回路（24）が、暖房主体の暖房高負荷運転時に、上記昇圧機構（5，10）で昇圧された冷媒が第１連絡配管（251）へ供給されるように構成されていることを特徴としている。
【００１２】
この第２の発明では、暖房主体運転のうちでも暖房負荷が相対的に大きな暖房主体の暖房高負荷運転時に、相対的に直径の小さな第１連絡配管（251）へ供給される低圧二相冷媒が、昇圧機構（5，10）で昇圧された冷媒が合流した二相冷媒となる。
【００１３】
第３の発明は、第１または第２の発明において、上記昇圧機構（5，10）が、上記冷房運転を行う室内ユニット（22）と冷凍サイクルの圧縮行程を行う圧縮機（1）との間で冷媒を補助的に圧縮する補助圧縮機（5）であることを特徴としている。
【００１４】
この第３の発明では、冷凍サイクルの圧縮行程を行う圧縮機（1）の吸入前の冷媒が補助圧縮機（5）で圧縮され、低圧側の圧力損失が大きくなるのが抑えられる。
【００１５】
第４の発明は、第３の発明において、上記冷媒回路（24）が、高圧冷媒または中間圧冷媒を膨張して動力を回収する膨張機（4）を備え、上記膨張機（4）が有する出力軸（4c）と上記補助圧縮機（5）が有する入力軸（5c）とが連結されていることを特徴としている。
【００１６】
この第４の発明では、膨張機（4）で回収した膨張動力を補助圧縮機（5）の入力に利用し、冷凍サイクルの圧縮行程を行う圧縮機（1）の吸入前の冷媒の補助圧縮を行える。
【００１７】
第５の発明は、第１または第２の発明において、上記昇圧機構（5，10）が、高圧冷媒または中間圧冷媒を駆動流とし、冷凍サイクルの蒸発行程後のガス冷媒を吸引して昇圧し、昇圧後の冷媒を低圧側の連絡配管（252）に供給するエジェクタ（10）であることを特徴としている。
【００１８】
この第５の発明では、冷凍サイクルの圧縮行程を行う圧縮機（1）の吸入前の冷媒がエジェクタ（10）で昇圧され、圧力損失が大きくなるのが抑えられる。
【発明の効果】
【００１９】
本発明によれば、低圧の二相冷媒が連絡配管（251）を流れる暖房主体運転時に、冷房運転を行う室内ユニット（22）での蒸発行程終了後のガス冷媒が昇圧されてから低圧側の連絡配管（252）へ供給され、低圧二相冷媒に合流するので、低圧側の圧力の低下を抑えることができ、冷凍サイクルの効率が低下するのを抑えることができる。
【００２０】
上記第２の発明によれば、暖房主体運転のうちで暖房負荷が相対的に大きな暖房主体の暖房高負荷運転時に、昇圧機構（5，10）で昇圧された低圧冷媒が相対的に直径の小さな第１連絡配管（251）へ供給されるので、特に低圧側の圧力の低下が問題になる暖房主体の暖房高負荷運転において、圧力の低下を抑えられる。したがって、暖房主体の暖房高負荷運転の効率が低下するのを効果的に抑制できる。なお、暖房主体の暖房低負荷運転時には、低圧二相冷媒を直径の大きな第２連絡配管（252）へ流すとよい。
【００２１】
上記第３の発明によれば、補助圧縮機（5）を用いることにより、昇圧機構（5，10）で圧力損失を抑える第１の発明の構成を容易に実現できる。
【００２２】
上記第４の発明によれば、膨張機（4）で回収した膨張動力を補助圧縮機（5）の入力に利用し、冷凍サイクルの圧縮行程を行う圧縮機の吸入前の冷媒の補助圧縮を行えるので、補助圧縮機（5）の入力を削減し、冷凍サイクルの効率を高めることができる。
【００２３】
上記第５の発明によれば、エジェクタ（10）を用いることにより、昇圧機構（5，10）で圧力損失を抑える第１の発明の構成を容易に実現できる。
【図面の簡単な説明】
【００２４】
【図１】図１は、本発明の実施形態１に係る空気調和装置の冷媒回路図である。
【図２】図２は、実施形態１の空気調和装置の全冷房運転を示す運転状態図である。
【図３】図３は、実施形態１の空気調和装置の冷房主体運転を示す運転状態図である。
【図４】図４は、実施形態１の空気調和装置の冷暖同負荷運転を示す運転状態図である。
【図５】図５は、実施形態１の空気調和装置の暖房主体の暖房高負荷運転を示す運転状態図である。
【図６】図６は、実施形態１の空気調和装置の暖房主体の暖房高負荷運転を示す運転状態図である。
【図７】図７は、実施形態１の空気調和装置の全暖房運転を示す運転状態図である。
【図８】図８は、本発明の実施形態２に係る空気調和装置の冷媒回路図である。
【図９】図９は、実施形態２の空気調和装置の暖房主体運転を示す運転状態図である。
【図１０】図１０は、本発明の実施形態３に係る空気調和装置の冷媒回路図である。
【図１１】図１１は、実施形態３の空気調和装置の暖房主体運転を示す運転状態図である。
【発明を実施するための形態】
【００２５】
以下、本発明の実施形態を図面に基づいて詳細に説明する。
【００２６】
《発明の実施形態１》
本発明の実施形態１について説明する。この実施形態１は、室外ユニットと複数の室内ユニットが２本の連絡配管で接続され、冷房と暖房が混在する冷凍サイクルが可能に構成された空気調和装置に関するものである。図１はこの空気調和装置の冷媒回路図である。
【００２７】
図１に示すように、この空気調和装置（20）は、室外ユニット（21）と、複数（図では簡略化して２台のみ表示）の室内ユニット（22）と、室外ユニット（21）と室内ユニット（22）の間に接続された１台の中間ユニット（23）とを有している。そして、上記室外ユニット（21）と中間ユニット（23）と室内ユニット（22）を連絡配管（25）で接続することにより、冷房運転と暖房運転と冷暖同時運転（冷房と暖房が混在する運転）とを切り換えて行うことが可能な冷媒回路（24）が構成されている。上記冷媒回路（24）には冷媒としてＲ３２（ジフルオロメタン）が充填されている。
【００２８】
上記連絡配管（25）として、第１連絡配管（251）と第２連絡配管（252）が設けられている。第１連絡配管（251）は、室外側第１連絡配管（251a）と室内側第１連絡配管（251b）により構成され、第２連絡配管（252）は、室外側第２連絡配管（252a）と室内側第２連絡配管（252b）により構成されている。そして、上記中間ユニット（23）は、第１連絡配管（251）及び第２連絡配管（252）の途中（具体的には、室外側第１連絡配管（251a）と室内側第１連絡配管（251b）の間で、かつ室外側第２連絡配管（252a）と室内側第２連絡配管（252b）の間）に設けられている。室外側第１連絡配管（251a）は室外側第２連絡配管（252a）よりも内径が小さい。
【００２９】
室外ユニット（21）は、冷媒を圧縮する圧縮機（1）と、冷媒と室外空気とが熱交換をする室外熱交換器（熱源側熱交換器）（2）と、冷媒回路（24）の冷媒循環方向を切り換える切換機構（3a，3b）と、冷凍サイクルの圧縮行程後のガス冷媒の一部を凝縮行程後の液冷媒に合流させる気液合流部（241）とを有している。室外熱交換器（2）のガス側端部の配管と液側端部の配管とに室外熱交換器（2）をまたいで接続された合流管（241a）が上記気液合流部（241）になっており、この合流管（241a）には、吐出ガス冷媒の流量を調整する流量調整弁（241b）が設けられている。上記気液合流部（241）は、すべての室内ユニット（22）が冷房を行う全冷房運転時に高圧冷媒が流れる室外側第１連絡配管（251a）への流入側に設けられている。
【００３０】
上記切換機構（3a，3b）は、三方弁（3a）とブリッジ回路（3b）とから構成されている。三方弁（3a）は、圧縮機（1）の吐出側配管（242a）が第１ポートに接続され、圧縮機（1）の吸入側配管（242b）が第２ポートに接続され、第１ポートと第２ポートに連通状態の切り換わる第３ポートが室外熱交換器（2）のガス側端部に接続されている。ブリッジ回路（3b）は、それぞれに電動調整弁（RV）が設けられた４つの冷媒通路で組まれた閉回路である。ブリッジ回路（3b）の第１接続点（P1）は圧縮機（1）の吐出側配管（242a）に接続され、第２接続点（P2）は圧縮機（1）の吸入側管（242b）に接続され、第３接続点（P3）は室外液管（243）に接続され、第４接続点（P4）は室外側第１連絡配管（251a）に接続されている。第２接続点（P2）と圧縮機（1）の吸入ポートの間には、開閉弁（V11）が設けられている。また、この開閉弁（V11）と第２接続点（P2）との間の配管には、ガス冷媒や二相冷媒が流れる室外ガス管（258）の一端が接続され、この室外ガス管（258）の他端は室外側第２連絡配管（252b）に接続されている。
【００３１】
上記中間ユニット（13）は、膨張機（4）と、補助圧縮機（5）と、気液分離器（6）と、過冷却熱交換器（7）とを備えている。また、中間ユニット（23）は、室外側第１連絡配管（251a）と室内側第１連絡配管（251b）に接続された中間液管（253）と、室外側第２連絡配管（252a）と室内側第２連絡配管（252b）に接続された中間ガス管（254）とを備えている。
【００３２】
過冷却熱交換器（7）は、高圧側流路（7a）と低圧側流路（7b）とを有している。過冷却熱交換器（7）では、高圧側流路（7a）を流れる冷媒と低圧側流路（7b）を流れる冷媒が熱交換する。そして、高圧側流路（7a）を流れる液冷媒が過冷却される一方、低圧側流路（7b）を流れる冷媒が加熱される。
【００３３】
中間液管（253）は、過冷却熱交換器（7）の高圧側流路（7a）に接続されている。中間液管（253）には、液分岐管（253a）の一端が接続され、液分岐管（253a）の他端は膨張機（4）の流入ポート（4a）に接続されている。液分岐管（253a）には、膨張機（7）へ向かう方向へのみ冷媒が流れるのを許容する逆止弁（CV）が設けられている。膨張機の流出ポート（4b）には第１接続管（253b）の一端が接続され、第１接続管（253b）の他端は気液分離器（6）の冷媒流入ポート（6a）に接続されている。中間液管（253）における液分岐管（253a）の上流側と第１接続管（253b）における膨張機の流出側には、第２接続管（253c）が接続されている。第２接続管（253c）には、開閉弁（V1）が設けられている。中間液管（253）には、液分岐管（253a）の接続点と第２接続管（253c）の接続点との間に開閉弁（V2）が設けられている。また、第１接続管（253b）には、第２接続管（253c）の接続点と気液分離器（6）の冷媒流入ポート（6a）との間に開閉弁（V3）が設けられている。
【００３４】
気液分離器（6）のガス冷媒流出ポート（6b）にはガス冷媒流出管（244）が接続され、ガス冷媒流出管（244）は後述する第２中間ガス管（255）に接続されている。第２中間ガス管（255）の一端側は、開閉弁（V4）が設けられ、室外側第２連絡配管（252a）に接続されている。気液分離器（6）の液冷媒流出ポート（6c）には液冷媒流出管（245）の一端が接続されている。液冷媒流出管（245）は開閉弁（V5）が設けられ、他端が中間液管（253）に接続されている。
【００３５】
中間液管（253）には液冷媒流出管（245）と過冷却熱交換器（7）との間に過冷却器分岐管（246）の一端が接続されている。過冷却器分岐管（246）には減圧弁（PRV）が設けられ、他端が過冷却熱交換器（7）の低圧側流路（7b）の入口側に接続されている。低圧側流路（7b）の出口側は、ガス接続管（247）を介してガス冷媒流出管（244）に接続されている。
【００３６】
上記中間ガス管（254）は、上記補助圧縮機（5）の吸入ポート（5a）に接続されている。補助圧縮機（5）の吐出ポート（5b）には中間吐出管（254a）が接続されている。上記中間液管（253）には、液分岐管（253a）と液冷媒流出管（245）の間に中間接続管（248）の一端が接続され、中間接続管（248）の他端は中間ガス管（254）における補助圧縮機（5）の流入側に接続されている。中間接続管（248）には中間膨張弁（EV3）が設けられている。
【００３７】
上記補助圧縮機（5）は、上記全冷房運転時等に、冷凍サイクルの蒸発行程後のガス冷媒を昇圧し、低圧側の連絡配管である室外側第２連絡配管（252a）へ供給するように冷媒回路（24）に設けられた昇圧機構である。この補助圧縮機（5）は、上記冷凍サイクルの圧縮行程を行う圧縮機（1）の吸入前の冷媒を補助的に圧縮する。また、この実施形態では、冷媒が膨張する際に膨張動力を回収する上記膨張機（4）が有する出力軸（4c）と上記補助圧縮機（5）が有する入力軸（5c）とが軸継手（図示せず）で機械的に連結されているか、１本の軸で構成されていて、膨張機（4）の回転出力が補助圧縮機（5）に伝達されるようになっている。本実施形態において、室外ユニット（11）の圧縮機（1）の圧縮比と補助圧縮機（5）の圧縮比の比は、約９：１である。
【００３８】
上記中間接続管（248）の他端と上記中間吐出管（254a）の先端とに、膨張機（5）をバイパスするバイパス管（249）の一端が接続されている。バイパス管（249）には開閉弁（V6）が設けられている。
【００３９】
中間吐出管（254a）の先端とバイパス管（249）の他端との接続部には、第１流出管（256a）と第２流出管（256b）とが並列に接続されている。第１流出管（256a）は、第２室外側連絡配管（252a）と第２中間ガス管（255）との接続部に接続され、第２室外側連絡配管（252a）及び第２中間ガス管（255）からの冷媒の逆流を禁止する逆止弁（CV）が設けられている。第２流出管（256b）は中間液管（253）と第２接続管（253c）の接続点に接続され、中間液管（253）からの冷媒の逆流を防止する逆止弁（CV）が設けられている。第２流出管（256b）は、逆止弁（CV）の下流側で分岐接続管（256c）に分岐している。分岐接続管（256c）は液分岐管（253a）の逆止弁（CV）の下流側に接続され、液分岐管（253a）からの冷媒の逆流を禁止する逆止弁（CV）を有している。
【００４０】
上記中間液管（253）には、過冷却熱交換器（7）に対する室内側の近傍に開閉弁（V7）が設けられている。また、上記中間液管（253）は、各室内ユニット（22）に対応する位置で分岐して室内側第１連絡配管（251b）に接続されている。上記中間ガス管（254）は、各室内ユニット（22）に対応する位置で分岐し、同様に各室内ユニット（22）に対応する位置で分岐した第２中間ガス管（255）と合流し、室内側第２連絡配管（252b）に接続されている。中間ガス管（254）と第２中間ガス管（255）には、それぞれ、室内側第２連絡配管（252b）との接続位置の近傍に、開閉弁（V8,V9）が設けられている。
【００４１】
上記各室内ユニット（22）は、室内膨張弁（EV2）と室内熱交換器（8）とを有している。各室内ユニット（22）において室内膨張弁（EV2）と室内熱交換器（8）は直列に接続され、室内膨張弁（EV2）が室内側第１連絡配管（251b）に接続され、室内熱交換器（8）が室内側第２連絡配管（252b）に接続されている。
【００４２】
上記構成において、上記室外ユニット（21）に気液合流部（241）が設けられ、上記中間ユニット（23）に気液分離器（6）が設けられていることにより、上記冷媒回路（24）は、すべての室内ユニット（22）が冷房を行う全冷房運転時に、高圧側の連絡配管である室外側第１連絡配管（251a）に気液二相の高圧冷媒（例えば乾き度が０．０５〜０．１程度の冷媒）が流れ、気液二相冷媒から分離された液冷媒が上記各室内ユニット（22）に供給されるようになっている。
【００４３】
−運転動作−
次に、この実施形態１の空気調和装置の運転動作について説明する。本実施形態では、上述したように、すべての室内ユニット（22）で室内を冷房する運転や暖房する運転に加えて、冷房と暖房が混在する運転を行うことも可能である。以下、本実施形態の代表的な運転動作として、すべての室内ユニット（22）が室内を冷房する全冷房運転と、冷房負荷が暖房負荷よりも大きい場合に行われる冷房主体運転と、冷房負荷と暖房負荷が同じ場合に行われる冷暖同負荷運転と、暖房負荷が冷房負荷よりも大きいときに低圧冷媒を室外側第２連絡配管（251b）に流して行う暖房主体の暖房低負荷運転と、暖房負荷が冷房負荷よりも大きいときに低圧冷媒を室外第１連絡配管（251a）に流して行う暖房主体の暖房高負荷運転と、すべての室内ユニット（22）が室内を暖房する全暖房運転の６通りの運転動作について説明する。
【００４４】
（全冷房運転）
図２は、実施形態１の空気調和装置の全冷房運転の運転状態を示している。すべての室内ユニット（22）が室内を冷房する運転である。図において、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【００４５】
圧縮機（1）から吐出された高圧冷媒は三方弁（3a）を通過して点Ａ１１で分流し、室外熱交換器（2）で凝縮した液冷媒と合流管（241a）を通ったガス冷媒とが点Ａ１２で合流して高圧二相冷媒になる。高圧二相冷媒は、室外側第１連絡配管（251a）を通って中間ユニット（23）に流入し、中間ユニット（23）において、中間液管（253）の点Ａ１３から膨張機（4）に流入する。冷媒は膨張機（4）で減圧されて低圧二相冷媒になり、気液分離器（6）に流入する。気液分離器（6）では、冷媒が低圧液冷媒と低圧ガス冷媒に分離される。
【００４６】
気液分離器（6）の低圧液冷媒は過冷却熱交換器（7）へ供給される。過冷却熱交換器（7）では、減圧弁（PRV）で減圧されて低圧側流路（7b）を流れる低圧二相冷媒と高圧側流路（7a）を流れる低圧液冷媒とが熱交換し、低圧液冷媒が過冷却される。低圧側流路（7b）の冷媒はガス化し、気液分離器（6）から流出した低圧ガス冷媒と点Ａ１４で合流する。
【００４７】
過冷却熱交換器（7）の高圧側流路（7a）から流出した低圧液冷媒は、点Ａ１５で分流し、各室内ユニット（22）へ流入する。
【００４８】
各室内ユニット（22）では、冷媒が室内膨張弁（EV2）で減圧されて室内熱交換器（8）で蒸発し、冷媒が室内空気から吸熱して室内が冷房される。蒸発した低圧ガス冷媒は、点Ａ１６で合流し、中間ユニット（22）の補助圧縮機（5）に流入する。補助圧縮機（5）では、膨張機（4）の膨張動力を利用して、冷媒が室外ユニット（1）の圧縮機（1）へ流入する前に予め圧縮される。補助圧縮機（5）から吐出されたガス冷媒（低圧ガス冷媒）は、点Ａ１７で点Ａ１４の冷媒と合流した後、室外側第２連絡配管（252a）を流れ、室外ユニット（21）に流入する。室外ユニット（21）では、低圧ガス冷媒が圧縮機（1）に吸入される。
【００４９】
本実施形態の全冷房の運転状態では、以上の流れで冷媒が冷媒回路（14）を循環する。この全冷房の運転状態では、室外側第１連絡配管（251a）を流れる冷媒が高圧二相冷媒であり、高圧液冷媒が流れる場合よりも冷媒の密度が小さい。一方、室外側第１連絡配管（251a）に二相冷媒を流すと冷凍効果が小さくなり、かつ同一冷凍能力では冷媒循環量が大きくなり圧力損失が大きくなるため、冷凍サイクルの効率が低下するが、膨張機（5）の膨張動力を利用した補助圧縮機（過給昇圧機構）（4）で低圧ガス冷媒を予め圧縮するため、効率の低下が軽減される。
【００５０】
（冷房主体運転）
図３は、実施形態１の空気調和装置の冷房主体運転の運転状態を示している。例えば、冷房負荷が７５％、暖房負荷が２５％であるような運転状態である。この図においても、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【００５１】
圧縮機（1）から吐出された高圧冷媒は三方弁（3a）を通過して点Ａ２１で分流し、室外熱交換器（2）で凝縮した液冷媒と合流管（241a）を通ったガス冷媒とが点Ａ２２で合流して高圧二相冷媒になる。高圧二相冷媒は、室外側第１連絡配管（251a）を通って中間ユニット（23）に流入し、中間ユニット（23）において、中間液管（253）の点Ａ２３で膨張機（4）をバイパスして気液分離器（6）に流入する。気液分離器（6）では、冷媒が高圧液冷媒と高圧ガス冷媒に分離される。
【００５２】
気液分離器（6）の高圧液冷媒は過冷却熱交換器を通過し、点Ａ２４において、室内を暖房した後の高圧液冷媒と合流する。この高圧液冷媒は、気液分離器（6）から流出した高圧ガス冷媒が第２中間ガス管（255）の点Ａ２５から暖房側の室内ユニット（22）の室内熱交換器（8）に流入して凝縮した冷媒である。冷媒は、この室内熱交換器（8）で凝縮するときに室内空気に放熱し、室内が暖房される。
【００５３】
点Ａ２４の高圧液冷媒は、冷房側の室内ユニット（22）に流入し、室内膨張弁（EV2）で減圧されて低圧二相冷媒になり、さらに室内熱交換器（8）で蒸発して低圧ガス冷媒になる。冷媒は、その際に室内空気から吸熱し、室内が冷房される。
【００５４】
室内熱交換器（8）で蒸発した低圧ガス冷媒は、中間ユニット（23）において中間ガス管（254）を流れ、点Ａ２６で補助圧縮機（5）をバイパスしてから点Ａ２７を通過して中間ユニット（23）から流出して室外側第２連絡配管（252a）を流れる。
【００５５】
室外側第２連絡配管（252a）を流れる低圧ガス冷媒は室外ユニット（21）へ流入し、圧縮機（1）に吸入される。
【００５６】
本実施形態の冷房主体の運転状態では、以上の流れで冷媒が冷媒回路（24）を循環する。
【００５７】
（冷暖同負荷運転）
図４は、実施形態１空気調和装置の冷暖同負荷運転の運転状態を示している。冷房負荷が５０％、暖房負荷が５０％であるような運転状態である。この図においても、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【００５８】
圧縮機（1）から吐出された高圧ガス冷媒は三方弁（3a）の手前で点Ａ３１からブリッジ回路（3b）を流れ、室外ユニット（21）から流出して室外側第１連絡配管（251a）に流入する。高圧ガス冷媒は、室外側第１連絡配管（251a）から中間ユニット（23）に流入し、中間ユニット（23）において、中間液管（253）の点Ａ３２で膨張機（4）をバイパスして気液分離器（6）に流入する。
【００５９】
気液分離器（6）から流出した高圧ガス冷媒は、第２中間ガス管（255）を流れ、該第２中間ガス管（255）の点Ａ３３から暖房側の室内ユニット（22）に流入して室内熱交換器（8）で凝縮し、高圧液冷媒になる。冷媒は、この室内熱交換器（8）で凝縮するときに室内空気に放熱し、室内が暖房される。
【００６０】
上記室内ユニット（22）から流出した高圧液冷媒は中間液管（253）の点Ａ３４で冷房側の室内ユニット（22）へ流れて行き、該室内ユニット（22）に流入する。この室内ユニット（22）に流入した高圧液冷媒は、室内膨張弁（EV2）で減圧されて低圧二相冷媒になり、さらに室内熱交換器（8）で蒸発して低圧ガス冷媒になる。冷媒は、その際に室内空気から吸熱し、室内が冷房される。
【００６１】
室内ユニット（22）から流出した冷媒は、中間ユニット（23）において中間ガス管（254）の点Ａ３５を通過した後、点Ａ３６で補助圧縮機（5）をバイパスしてから点Ａ３７を通過して中間ユニット（23）から流出して室外側第２連絡配管（252a）を流れる。
【００６２】
室外側第２連絡配管（252a）を流れる低圧ガス冷媒は室外ユニット（21）へ流入し、圧縮機（1）に吸入される。
【００６３】
本実施形態の冷暖同負荷の運転状態では、以上の流れで冷媒が冷媒回路（24）を循環する。
【００６４】
（暖房主体の暖房低負荷運転）
図５は、実施形態１の空気調和装置の暖房主体の暖房低負荷運転の運転状態を示している。例えば、暖房負荷が６７％、冷房負荷が３３％であるような運転状態である。この図においても、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【００６５】
圧縮機（1）から吐出された高圧ガス冷媒は三方弁（3a）の手前で点Ａ４１からブリッジ回路（3b）を流れ、室外ユニット（21）から流出して室外側第１連絡配管（251a）に流入する。高圧ガス冷媒は、室外側第１連絡配管（251a）から中間ユニット（23）に流入し、中間ユニット（23）において、中間液管（253）の点Ａ４２で膨張機（4）をバイパスして気液分離器（6）に流入する。
【００６６】
気液分離器（6）から流出した高圧ガス冷媒は、第２中間ガス管（255）を流れ、該第２中間ガス管（255）の点Ａ４３から暖房側の室内ユニット（22）に流入して室内熱交換器（8）で凝縮し、高圧液冷媒になる。冷媒は、この室内熱交換器（8）で凝縮するときに室内空気に放熱し、室内が暖房される。
【００６７】
上記室内ユニット（22）から流出した高圧液冷媒は中間ユニット（23）へ流入し、中間液管（253）の点Ａ４４で２方向へ分流する。液冷媒の一方は点Ａ４５から中間接続管（248）へ流入し、中間膨張弁（EV3）で減圧されて低圧二相冷媒になり、点Ａ４４において、冷房側の室内ユニット（22）から流出した低圧ガス冷媒と合流する。この低圧ガス冷媒は、点Ａ４４で冷房側の室内ユニット（22）へ向かった高圧液冷媒が、室内膨張弁（EV2）で減圧されて低圧二相冷媒になってから室内熱交換器（8）で蒸発し、室内ユニット（22）から流出して中間ガス管（254）の点Ａ４７を通過してきた冷媒である。なお、上記冷房側の室内ユニット（22）では、冷媒が室内熱交換器（8）で蒸発する際に室内空気から吸熱し、室内が冷房される。
【００６８】
上記中間ユニット（23）の点Ａ４６で合流した冷媒は低圧二相冷媒であり、この冷媒は、補助圧縮機（5）をバイパスしてから点Ａ４８を通過して中間ユニット（23）から流出して太い方の室外側第２連絡配管（252a）を流れる。
【００６９】
室外側第２連絡配管（252a）を流れる低圧二相冷媒は、室外ユニット（21）において点Ａ４９からブリッジ回路（3b）へ流れ、さらに室外熱交換器（2）で室外空気と熱交換して蒸発した後、三方弁（3a）を通って圧縮機（1）に吸入される。
【００７０】
本実施形態の暖房主体１の運転状態では、以上の流れで冷媒が冷媒回路（24）を循環する。
【００７１】
（暖房主体の暖房高負荷運転）
図６は、実施形態１の空気調和装置の暖房主体の暖房高負荷運転の運転状態を示している。例えば、暖房負荷が８５％、冷房負荷が１５％であるような運転状態である。この図においても、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【００７２】
圧縮機（1）から吐出された高圧ガス冷媒は三方弁（3a）の手前で点Ａ５１からブリッジ回路（3b）へ流れ、さらに点Ａ５２を通過して室外ユニット（21）から流出し、室外側第２連絡配管（252a）に流入する。高圧ガス冷媒は、室外側第２連絡配管（252a）から中間ユニット（23）に流入し、中間ユニット（23）において、点Ａ５３から第２中間ガス管（255）へ流入する。
【００７３】
第２中間ガス管（255）を流れる高圧ガス冷媒は、点Ａ５４において暖房側の室内ユニット（22）へ向かい、該室内ユニット（22）に流入する。この暖房側の室内ユニット（22）へ流入した冷媒は室内熱交換器（8）で凝縮し、高圧液冷媒になる。冷媒は、この室内熱交換器（8）で凝縮するときに室内空気に放熱し、室内が暖房される。室内熱交換器（8）で凝縮した高圧液冷媒は、中間ユニット（23）に流入し、中間液管（253）の点Ａ５５で２方向へ分流する。
【００７４】
点Ａ５５から冷房側の室内ユニット（22）へ向かう冷媒は、該室内ユニット（22）へ流入し、室内膨張弁（EV2）で減圧されて低圧二相冷媒になり、さらに室内熱交換器（8）で蒸発して低圧ガス冷媒になる。この低圧ガス冷媒は、中間ユニット（23）に流入して中間ガス管（254）を流れ、補助圧縮機（5）に吸入されて昇圧される。補助圧縮機（5）から吐出された冷媒は、点Ａ５６を通って第２流出管（256b）を流れ、中間液管（253）の点Ａ５７に達する。
【００７５】
また、点Ａ５５から過冷却熱交換器（7）へ向かう高圧液冷媒は、該過冷却熱交換器（7）を通過し、中間液管（253）の点Ａ５８から膨張機に流入する。冷媒は膨張機で減圧されて低圧二相冷媒になり、点Ａ５９で第２分岐管（253c）へ流入して点Ａ５７に達する。
【００７６】
点Ａ５７では２方向から流れてきた低圧二相冷媒と低圧ガス冷媒が合流して中間液管（253）を流れ、中間ユニット（23）から流出して細い方の室外側第１連絡配管（251a）を通って室外ユニット（21）へ流入する。
【００７７】
室外ユニット（21）に流入した低圧二相冷媒は、ブリッジ回路（3b）を通過して室外熱交換器（2）に流入し、室外空気と熱交換して蒸発する。室外熱交換器（2）で蒸発した低圧ガス冷媒は、三方弁（3a）を通過して圧縮機（1）に吸入される。
【００７８】
本実施形態の暖房主体２の運転状態では、以上の流れで冷媒が冷媒回路（24）を循環する。
【００７９】
この実施形態では、補助圧縮機（5）を設け、室外ユニット（21）の圧縮機（1）へ吸入される前の冷媒を補助的に圧縮するようにしているので、連絡配管を室外ユニット（21）へ向かって流れる低圧二相冷媒の圧力が低下しすぎるのを防止でき、効率が低下するのを抑えられる。特に、本実施形態では、密度の小さい低圧二相冷媒が内径の細い室外側第１連絡配管（251a）を流れるために圧力損失が大きくなりやすいのに対して、補助圧縮機（5）で低圧冷媒を補助的に圧縮することにより、圧力損失による効率低下を効果的に抑えられる。
【００８０】
（全暖房運転）
図７は、実施形態１の空気調和装置の全暖房運転の運転状態を示している。すべての室内ユニット（22）が室内を暖房する運転である。この図においても、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【００８１】
圧縮機（1）から吐出された高圧ガス冷媒は三方弁（3a）の手前で点Ａ６１からブリッジ回路（3b）へ流れ、さらに点Ａ６２を通過して室外ユニット（21）から流出し、室外側第２連絡配管（252a）に流入する。高圧ガス冷媒は、室外側第２連絡配管（252a）から中間ユニット（23）に流入し、中間ユニット（23）において、点Ａ５３から第２中間ガス管（255）へ流入する。
【００８２】
第２中間ガス管（255）を流れる高圧ガス冷媒は、点Ａ５４において分流し、各室内ユニット（22）に流入する。各室内ユニット（22）へ流入した冷媒は室内熱交換器（8）で凝縮し、高圧液冷媒になる。冷媒は、この室内熱交換器（8）で凝縮するときに室内空気に放熱し、室内が暖房される。室内熱交換器（8）で凝縮した高圧液冷媒は、室内膨張弁（EV2）で減圧され、高圧二相冷媒に変化する。
【００８３】
室内膨張弁（EV2）で高圧二相になった冷媒は、中間ユニット（23）に流入し、中間液管（253）の点Ａ５５で合流する。点Ａ５５で合流した高圧二相冷媒は、過冷却熱交換器（7）を通過し、さらに中間液管（253）を流れて中間ユニット（23）から流出する。中間ユニット（23）から流出した高圧二相冷媒は室外側第１連絡配管（251a）を通って室外ユニット（21）に流入する。
【００８４】
室外ユニット（21）に流入した高圧二相冷媒は、点Ａ５６からブリッジ回路（3b）を室外熱交換器（2）の方向へ向かって流れ、その際に、開度調整された電動調整弁（RV）で減圧されて低圧二相冷媒に変化する。この低圧二相冷媒は室外熱交換器（2）に流入し、室外空気と熱交換して蒸発する。室外熱交換器（2）で蒸発した冷媒は、三方弁（3a）を通過して圧縮機（1）に吸入される。
【００８５】
本実施形態の全暖房の運転状態では、以上の流れで冷媒が冷媒回路（24）を循環する。
【００８６】
−実施形態１の効果−
この実施形態１によれば、補助圧縮機（5）を設け、暖房主体運転のうちで暖房負荷の大きな暖房主体の暖房高負荷運転において、室外ユニット（21）の圧縮機（1）へ吸入される前の冷媒を補助的に圧縮するようにしているので、連絡配管を室外ユニット（21）へ向かって流れる低圧二相冷媒の圧力が低下しすぎるのを防止でき、効率が低下するのを抑えられる。特に、暖房主体の暖房高負荷運転では、密度の小さい低圧二相冷媒が内径の細い室外側第１連絡配管（251a）を流れるために圧力損失が大きくなりやすいのに対して、補助圧縮機（5）で低圧冷媒を補助的に圧縮することにより、圧力損失による効率低下を効果的に抑えられる。
【００８７】
また、この実施形態１によれば、全冷房運転時に室外側第１連絡配管（251a）に高圧液冷媒ではなく高圧二相冷媒を流すようにしているので、高圧液冷媒を流す場合よりも冷媒量を少なくすることができる。したがって、空気調和装置（20）の１台あたりの必要冷媒量が少なくて済むので、多数の空気調和装置（20）を設置する場合に、全体として必要な冷媒量を大幅に削減できる。特に、ビル用のマルチタイプの空気調和装置では連絡配管が100メートルを超えるような長い配管になることがあるが、本実施形態ではそのような場合に連絡配管に保持される冷媒量が少なくてすむので、冷媒量の削減に多大な効果を奏することができる。
【００８８】
また、全冷房運転時に冷媒を二相で搬送すると、冷凍効果が小さくなり、かつ同一冷凍能力では冷媒循環量が大きくなり圧力損失が大きくなるために冷凍サイクルの効率が低下するという問題が生じることが考えられるが、本実施形態では、膨張動力を利用した補助圧縮機（5）（過給昇圧機構）で室外ユニット（21）の圧縮機（1）の上流側の低圧ガス冷媒を予め圧縮するようにしているため、効率低下を軽減することができるし、配管を細くできる。
【００８９】
また、室内ユニット（22）へは液冷媒が流れるので、配管径を小さくできる。
【００９０】
また、過冷却熱交換器（7）を設けたことにより、全冷房運転時に室内ユニット（22）に供給される冷媒が配管経路中でフラッシュすることを防ぎ、冷媒を確実に液相の状態で室内ユニット（22）に供給することができる。
【００９１】
−実施形態１の変形例−
実施形態１では、中間ユニット（23）に過冷却熱交換器（7）を設けているが、上記過冷却熱交換器（7）は設けなくてもよい。
【００９２】
《発明の実施形態２》
本発明の実施形態２について説明する。
【００９３】
この実施形態２は、図８に示すように、実施形態１の空気調和装置（20）の冷媒回路（24）に中間熱交換器（9）を設けた点が実施形態１と異なっている。
【００９４】
中間熱交換器（9）は、中間ユニット（23）における室外側第２連絡配管（252a）と第２中間ガス管（255）との間に設けられている。中間熱交換器（56）は低圧側流路（9a）と高圧側流路（9b）とを有している。高圧側流路（9b）は室外側第２連絡配管（252a）に接続されている。低圧側流路（9a）は、入口側端部に、中間液管（253）における室外側第１連絡配管（251a）と第２接続管（253c）の間に接続された導入管（259）が接続されている。導入管（259）には膨張弁（EV3）が設けられている。低圧側流路（9a）の出口側端部には導出管（259b）の一端が接続され、導出管（259b）の他端は中間熱交換器（9）と室外側第２連絡配管（252a）との間で中間ガス管（554）に接続されている。
【００９５】
冷媒回路のその他の構成は実施形態１と同じである。
【００９６】
−運転動作−
この実施形態２においても、実施形態１と同様の複数の運転動作を行うことができる。この実施形態２では、実施形態１の暖房主体の暖房高負荷運転に相当する運転動作のみを説明する。
【００９７】
（暖房主体運転）
図９は、実施形態２の空気調和装置の暖房主体運転の運転状態を示している。例えば、暖房負荷が８５％、冷房負荷が１５％であるような運転状態である。この図においても、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【００９８】
圧縮機（1）から吐出された高圧ガス冷媒は三方弁（3a）の手前で点Ｂ１１からブリッジ回路（3b）へ流れ、さらに点Ｂ１２を通過して室外ユニット（21）から流出し、室外側第２連絡配管（252a）に流入する。高圧ガス冷媒は、室外側第２連絡配管（252a）から中間ユニット（23）に流入し、中間ユニット（23）において、点Ｂ１３、中間熱交換器（9）を通過した後、点Ｂ１４から第２中間ガス管（255）へ流入する。
【００９９】
第２中間ガス管（255）を流れる高圧ガス冷媒は、点Ｂ１５において暖房側の室内ユニット（22）へ向かい、該室内ユニット（22）に流入する。この暖房側の室内ユニット（22）へ流入した冷媒は室内熱交換器（8）で凝縮し、高圧液冷媒になる。冷媒は、この室内熱交換器（8）で凝縮するときに室内空気に放熱し、室内が暖房される。室内熱交換器（8）で凝縮した高圧液冷媒は、中間ユニット（23）に流入し、中間液管（253）の点Ｂ１６で２方向へ分流する。
【０１００】
点Ｂ１６から冷房側の室内ユニット（22）へ向かう冷媒は、該室内ユニット（22）へ流入し、室内膨張弁（EV2）で減圧されて低圧二相冷媒になり、さらに室内熱交換器（8）で蒸発して低圧ガス冷媒になる。この低圧ガス冷媒は、中間ユニット（23）に流入して中間ガス管（254）を流れ、補助圧縮機（5）に吸入されて圧縮される。補助圧縮機（5）から吐出された冷媒は、点Ｂ１７を通って第２流出管（256b）を流れ、中間液管（253）の点Ｂ１８に達する。
【０１０１】
また、点Ｂ１６から過冷却熱交換器（7）へ向かう高圧液冷媒は、該過冷却熱交換器（7）を通過し、中間液管（253）の点Ｂ１９から膨張機（4）に流入する。冷媒は膨張機（4）で減圧されて低圧二相冷媒になり、点Ｂ２０で第２分岐管（253c）へ流入して点Ｂ１８に達する。
【０１０２】
点Ｂ１８では２方向から流れてきた低圧二相冷媒と低圧ガス冷媒が合流して中間液管（253）を流れ、中間ユニット（23）から流出して室外側第１連絡配管（251a）を通って室外ユニット（21）へ流入する。
【０１０３】
室外ユニット（21）に流入した低圧二相冷媒は、ブリッジ回路（3b）を通過して室外熱交換器（2）に流入し、室外空気と熱交換して蒸発する。室外熱交換器（2）で蒸発した低圧ガス冷媒は、三方弁（3a）を通過して圧縮機（1）に吸入される。
【０１０４】
本実施形態の暖房主体の運転状態では、以上の流れで冷媒が冷媒回路（24）を循環する。
【０１０５】
この実施形態においても、補助圧縮機（5）を設け、室外ユニット（21）の圧縮機（1）へ吸入される前の冷媒を補助的に圧縮するようにしているので、連絡配管を室外ユニット（21）へ向かって流れる低圧二相冷媒の圧力が低下しすぎるのを防止でき、効率が低下するのを抑えられる。
【０１０６】
−実施形態２の効果−
この実施形態２によれば、実施形態１と同様に、補助圧縮機（5）を設け、暖房主体運転のうちで暖房負荷の大きな暖房主体運転において、室外ユニット（21）の圧縮機（1）へ吸入される前の冷媒を補助的に圧縮するようにしているので、連絡配管を室外ユニット（21）へ向かって流れる低圧二相冷媒の圧力が低下しすぎるのを防止でき、効率が低下するのを抑えられる。特に、暖房主体運転では、密度の小さい低圧二相冷媒が内径の細い室外側第１連絡配管（251a）を流れるために圧力損失が大きくなりやすいのに対して、補助圧縮機（5）で低圧冷媒を補助的に圧縮することにより、圧力損失による効率低下を効果的に抑えられる。
【０１０７】
また、この実施形態では全冷房の運転状態は説明していないが、過冷却熱交換器（7）を設けたことにより、実施形態１とほぼ同様に行われる全冷房運転時に室内ユニット（22）に供給される冷媒が配管経路中でフラッシュすることを防ぎ、冷媒を確実に液相の状態で室内ユニット（22）に供給することができる。
【０１０８】
《発明の実施形態３》
本発明の実施形態３について説明する。
【０１０９】
この実施形態３は、図１０に示すように、実施形態１の空気調和装置の冷媒回路（24）において、膨張機（4）と補助圧縮機（5）の代わりにエジェクタ（10）を設けた点が実施形態１と異なっている。
【０１１０】
上記エジェクタ（10）は、上記全冷房運転時に、高圧冷媒または中間圧冷媒を駆動流とし、冷凍サイクルの蒸発行程後のガス冷媒を吸引して昇圧し、昇圧後の冷媒を低圧側の連絡配管である室外側第２連絡配管（252a）へ供給するように冷媒回路（24）に設けられた昇圧機構である。このエジェクタ（10）は、駆動流流入ポート（10a）と、吸引流流入ポート（10b）と、ノズルと混合部とディフューザで昇圧した冷媒を吐出する冷媒吐出ポート（10c）とを備え、上記冷凍サイクルの圧縮行程を行う圧縮機（1）の吸入前の冷媒を補助的に圧縮する。駆動流流入ポート（10a）には、中間液管（253）に接続された液分岐管（253a）が接続されている。吸引流流入ポート（10b）には、中間ガス管（254）に中間接続管（248）とバイパス管（249）とが接続された接続点から分岐した分岐中間ガス管（254b）が接続されている。
【０１１１】
上記気液分離器（6）はエジェクタ（10）の流出側に配置され、エジェクタ（10）の吐出ポート（10c）が気液分離器（6）の冷媒流入ポート（6a）に接続されている。
【０１１２】
冷媒回路のその他の構成は実施形態１と同じである。
【０１１３】
−運転動作−
この実施形態３においても、実施形態１と同様の複数の運転動作を行うことができる。この実施形態３では、実施形態１の暖房主体の暖房高負荷運転に相当する運転動作を説明する。
【０１１４】
（暖房主体運転）
図１１は、実施形態３の空気調和装置の暖房主体運転の運転状態を示している。例えば、暖房負荷が８５％、冷房負荷が１５％であるような運転状態である。この図においても、太い実線の冷媒配管は冷媒が流れる配管、細い実線の冷媒配管は冷媒が流れない配管である。また、太い実線の配管を流れる冷媒の流れ方向を矢印で示している。細い実線の冷媒配管に設けられている開閉弁等は閉鎖される。
【０１１５】
圧縮機（1）から吐出された高圧ガス冷媒は三方弁（3a）の手前で点Ｃ１１からブリッジ回路（3b）へ流れ、さらに点Ｃ１２を通過して室外ユニット（21）から流出し、室外側第２連絡配管（252a）に流入する。高圧ガス冷媒は、室外側第２連絡配管（252a）から中間ユニット（23）に流入し、中間ユニット（23）において、点Ｃ１３から第２中間ガス管（255）へ流入する。
【０１１６】
第２中間ガス管（255）を流れる高圧ガス冷媒は、点Ｃ１４において暖房側の室内ユニット（22）へ向かい、該室内ユニット（22）に流入する。この暖房側の室内ユニット（22）へ流入した冷媒は室内熱交換器（8）で凝縮し、高圧液冷媒になる。冷媒は、この室内熱交換器（8）で凝縮するときに室内空気に放熱し、室内が暖房される。室内熱交換器（8）で凝縮した高圧液冷媒は、中間ユニット（23）に流入し、中間液管（253）の点Ｃ１５で２方向へ分流する。
【０１１７】
点Ｃ１５から冷房側の室内ユニット（22）へ向かう冷媒は、該室内ユニット（22）へ流入し、室内膨張弁（EV2）で減圧されて低圧二相冷媒になり、さらに室内熱交換器（8）で蒸発して低圧ガス冷媒になる。この低圧ガス冷媒は、中間ユニット（23）に流入して中間ガス管（254）を流れて点Ｃ１６を通過し、エジェクタ（10）に吸引されて昇圧される。ジェクタ（10）から吐出された冷媒は、点Ｃ１７を通って第２流出管（256b）を流れ、中間液管（253）の点Ｃ１８に達する。
【０１１８】
また、点Ｃ１５から過冷却熱交換器（7）へ向かう高圧液冷媒は、該過冷却熱交換器（7）を通過し、中間液管（253）の点Ｃ１９からエジェクタ（10）に流入する。この高圧液冷媒が上記エジェクタ（10）の駆動流となる。
【０１１９】
エジェクタ（10）から吐出されて点Ｃ１８から中間液管に流入した低圧二相冷媒は、中間ユニット（23）から流出して室外側第１連絡配管（251a）を通り、室外ユニット（21）へ流入する。
【０１２０】
室外ユニット（21）に流入した低圧二相冷媒は、ブリッジ回路（3b）を通過して室外熱交換器（2）に流入し、室外空気と熱交換して蒸発する。室外熱交換器（2）で蒸発した低圧ガス冷媒は、三方弁（3a）を通過して圧縮機（1）に吸入される。
【０１２１】
本実施形態の暖房主体の運転状態では、以上の流れで冷媒が冷媒回路（24）を循環する。
【０１２２】
この実施形態においては、エジェクタ（10）を設け、室外ユニット（21）の圧縮機（1）へ吸入される前の冷媒を補助的に圧縮するようにしているので、連絡配管を室外ユニット（21）へ向かって流れる低圧二相冷媒の圧力が低下しすぎるのを防止でき、効率が低下するのを抑えられる。
【０１２３】
−実施形態３の効果−
この実施形態３によれば、エジェクタ（10）を設け、実施形態１と同様に、暖房主体運転のうちで暖房負荷の大きな暖房主体運転において、室外ユニット（21）の圧縮機（1）へ吸入される前の冷媒を補助的に圧縮するようにしているので、連絡配管を室外ユニット（21）へ向かって流れる低圧二相冷媒の圧力が低下しすぎるのを防止でき、効率が低下するのを抑えられる。特に、暖房主体運転では、密度の小さい低圧二相冷媒が内径の細い室外側第１連絡配管（251a）を流れるために圧力損失が大きくなりやすいのに対して、補助圧縮機（5）で低圧冷媒を補助的に圧縮することにより、圧力損失による効率低下を効果的に抑えられる。
【０１２４】
−実施形態３の変形例−
実施形態３では、中間ユニット（23）に過冷却熱交換器（7）を設けているが、上記過冷却熱交換器（7）は設けなくてもよい。
【０１２５】
《その他の実施形態》
上記実施形態については、以下のような構成としてもよい。
【０１２６】
例えば、上記各実施形態においては、膨張機（4）が高圧冷媒を膨張させて減圧し、膨張動力を回収するように構成されたものとしているが、膨張機（4）は中間圧の冷媒を膨張するように構成したものであってもよい。また、エジェクタ（10）の駆動流も高圧冷媒に限らず、中間圧の冷媒にしてもよい。もしくは、昇圧機構（5）は膨張機（4）で回収した動力ではなく、電力を動力としたモータにより駆動されるものとしてもよい。
【０１２７】
また、上記実施形態１では、暖房主体運転を高負荷領域と低負荷領域に分けて制御を行うようにしているが、暖房主体運転のすべての領域で、冷媒回路（24）の圧縮行程を行う圧縮機（1）に吸入される前の冷媒を補助的に圧縮するように構成してもよい。
【０１２８】
また、上記の各実施形態の空気調和装置の冷媒回路の構成は単なる例示であり、冷媒回路に用いる構成要素や、各構成要素の接続関係は、上記実施形態に限定されるものではない。例えば、上記各実施形態では中間ユニット（23）を室内ユニット（22）とは別に設けているが、各室内ユニット（22）に上記中間ユニット（23）の構成要素を組み込んだ構成にしてもよい。
【０１２９】
要するに、本発明においては、室外ユニットと複数の室内ユニットが２本の連絡配管で接続され、冷房と暖房が混在する運転が可能な空気調和装置において、暖房負荷が冷房負荷よりも大きくなる暖房主体運転時に、冷媒回路（24）の圧縮行程を行う圧縮機（1）に吸入される前の冷媒を補助的に圧縮する昇圧機構（5，10）を設けた構成であれば、冷媒回路（24）の構成などは適宜変更してもよい。
【０１３０】
なお、以上の実施形態は、本質的に好ましい例示であって、本発明、その適用物、あるいはその用途の範囲を制限することを意図するものではない。
【産業上の利用可能性】
【０１３１】
以上説明したように、本発明は、室外ユニットと複数の室内ユニットが２本の連絡配管で接続され、冷房と暖房が混在する冷凍サイクルが可能に構成された空気調和装置において、暖房主体運転時における低圧冷媒の圧力低下を抑制する技術について有用である。
【符号の説明】
【０１３２】
1   圧縮機
4   膨張機
4c  出力軸
5   補助圧縮機（昇圧機構）
5c  入力C
10  エジェクタ（昇圧機構）
20  空気調和装置
21  室外ユニット
22  室内ユニット
24  冷媒回路
251，252  連絡配管
【図１】
2016070595.tif 000003
【図２】
2016070595.tif 000004
【図３】
2016070595.tif 000005
【図４】
2016070595.tif 000006
【図５】
2016070595.tif 000007
【図６】
2016070595.tif 000008
【図７】
2016070595.tif 000009
【図８】
2016070595.tif 000010
【図９】
2016070595.tif 000011
【図１０】
2016070595.tif 000012
【図１１】
2016070595.tif 000013